(57)【特許請求の範囲】
【請求項１】
内容物を排出する口部を備える容器本体と、該容器本体に着脱自在に保持されて該口部を閉塞するキャップとを備える容器であって、
前記キャップに、該キャップの天面壁より垂下され、その内壁面にねじ係合部を備える環状周壁を設け、該環状周壁の先端部に、該先端部を部分的に延設させた凸部を形成し、
前記容器本体に、前記口部を取り囲んで固定保持されるとともにその外周壁に設けた係合部を前記環状周壁のねじ係合部に適合させて該キャップを保持する中間部材を設け、
該中間部材に、前記口部の先端開口に取り付けられる注出栓を一体形成し、
前記中間部材の根元部に、該キャップのねじ込みの終了直前に、該凸部の乗り越えによって撓み変形する弾性舌片と、前記凸部と突き当たって該キャップのねじ込みを終了させるストッパーと、該弾性舌片及び該ストッパーの下側に形成されるとともに該口部の根元に形成される段部を嵌め込んで該中間部材を回り止め保持する下向き開口の空間とを設け、
前記弾性舌片は、ねじ込み終了時に前記ストッパーとの相互間での挟み込みによって該凸部に弾性接触してその相互間の接触圧を残留させる弛み止め用の自由端を有する、ことを特徴とするキャップ付き容器。
【請求項２】
前記中間部材は、前記キャップよりも硬度の高い樹脂材料を用いたものである請求項１記載のキャップ付き容器。
【発明の詳細な説明】
【技術分野】
【０００１】
本発明は、洗剤や化粧品、あるいは洗浄・除菌剤等の内容物を充填した容器本体を、ねじ込み式のキャップにて密閉するキャップ付き容器に関し、特に、キャップのねじ込み終了姿勢を維持する弛み止め機能につき、キャップの着脱を繰り返し行っても、その機能を長期にわたり十分に保つことができる技術を提案するものである。
【背景技術】
【０００２】
容器の口部にキャップをねじ込み装着して、容器内の充填空間を密閉するキャップ付きの容器は、キャップのねじ込み終了姿勢を維持すべく、例えば容器本体に凸部を形成する一方、キャップにこの凸部に対応する凹部を設けて、キャップのねじ込み終了時に凸部が凹部に嵌まり込むことでキャップの弛みを防止することが行われている。
【０００３】
ところで、従来のこの種の容器は、キャップを含むすべての部材が合成樹脂で構成されているのが普通であり、キャップの取り付け、取り外しを繰り返すと、凸部と凹部との擦れによって両者が次第に削れていくのが避けられないため、凸部と凹部の相互間に隙間が生じてキャップが僅かに弛んでしまうことがあり、また、凸部と凹部の引っかかりも浅くなって、小さな外力が加わった場合でも、簡単にキャップが回動してしまうおそれもあった。これらの点を解決しようとする従来技術としては、例えば特許文献１に示すような、キャップを、外キャップと、内キャップと、リング部材との３つの部材で構成し、キャップのねじ込み終了時に凸部を設けたリング部材を撓ませて、凹部との擦れを低減させようとするものが知られているが、特許文献１に示す構造では、構成部材の増加と構造の複雑化が避けられず、未だ改善の余地が残されていた。
【先行技術文献】
【特許文献】
【０００４】
【特許文献１】実公平５−７１５７号公報
【発明の概要】
【発明が解決しようとする課題】
【０００５】
本発明の課題は、内容物を充填した容器本体にキャップをねじ込み装着するキャップ付き容器に関し、キャップのねじ込み終了姿勢を維持する弛み止め機能を、キャップの着脱を繰り返し行っても、長期にわたり十分に保つことができる技術を提案するところにある。
【課題を解決するための手段】
【０００６】
本発明は、内容物を排出する口部を備える容器本体と、該容器本体に着脱自在に保持されて該口部を閉塞するキャップとを備える容器であって、
前記キャップに、該キャップの天面壁より垂下され、その内壁面にねじ係合部を備える環状周壁を設け、該環状周壁の先端部に、該先端部を部分的に延設させた凸部を形成し、
前記容器本体に、前記口部を取り囲んで固定保持されるとともにその外周壁に設けた係合部を前記環状周壁のねじ係合部に適合させて該キャップを保持する中間部材を設け、
該中間部材に、前記口部の先端開口に取り付けられる注出栓を一体形成し、
前記中間部材の根元部に、該キャップのねじ込みの終了直前に、該凸部の乗り越えによって撓み変形する弾性舌片と、前記凸部と突き当たって該キャップのねじ込みを終了させるストッパーと、該弾性舌片及び該ストッパーの下側に形成されるとともに該口部の根元に形成される段部を嵌め込んで該中間部材を回り止め保持する下向き開口の空間とを設け、
前記弾性舌片は、ねじ込み終了時に前記ストッパーとの相互間での挟み込みによって該凸部に弾性接触してその相互間の接触圧を残留させる弛み止め用の自由端を有する、ことを特徴とするキャップ付き容器である。
【０００８】
前記中間部材は、前記キャップよりも硬度の高い樹脂材料を用いることが望ましい。
【発明の効果】
【０００９】
容器本体の口部を閉塞するキャップに、その先端部に凸部を有する環状周壁を形成し、容器本体の口部に、キャップの環状周壁とねじ係合する中間部材を設け、中間部材の根元部に、キャップのねじ込みの終了直前に、凸部の乗り越えによって撓み変形する弾性舌片と、凸部と突き当たってキャップのねじ込みを終了させるストッパーとを形成し、弾性舌片に、ねじ込み終了時にストッパーとの相互間での挟み込みによって凸部に弾性接触してその相互間の接触圧を残留させる弛み止め用の自由端を設けたので、弾性舌片の撓み変形によって凸部との削れが抑制され、繰り返しキャップを着脱させても、弛み止め機能を長期にわたり十分に維持することができる。また、ねじ込み終了時には、弾性舌片の自由端と凸部との接触圧が残っているので、キャップの弛みがより効果的に抑制される。
【００１０】
中間部材に、口部の先端開口に取り付けられる注出栓を一体形成する場合は、中間部材に注出栓としての機能を持たせることができるので、弛み止め機能を付加する中間部材を設けてもなお、構成部材の増加につながることがない。
【００１１】
中間部材に、キャップよりも硬度の高い樹脂材料を用いる場合は、より効果的に弾性舌片と凸部との削れを抑制して、弛み止め機能が維持されるキャップの着脱回数を更に増加させることができる。
【図面の簡単な説明】
【００１２】
【図１】本発明の参考例であるキャップ付き容器の要部を示す図であって、（ａ）は容器本体の軸線を境に半分を断面で示した部分側面図であり、（ｂ）はＡ−Ａ線に沿う断面図である。
【図２】図１に示す状態から容器本体の軸線を中心に９０度回転させて示した図であって、（ａ）は容器本体の軸線を境に半分を断面で示した部分側面図であり、（ｂ）はＢ−Ｂ線に沿う断面図である。
【図３】本発明に従うキャップ付き容器の実施の形態を示す図であって、（ａ）は容器本体の軸線を境に半分を断面で示した部分側面図であり、（ｂ）はＣ−Ｃ線に沿う断面図である。
【発明を実施するための形態】
【００１３】
以下、図面を参照して、本発明をより具体的に説明する。
図１は、本発明の参考例であるキャップ付き容器の要部を示す図であって、（ａ）は容器本体の軸線を境に半分を断面で示した部分側面図であり、（ｂ）はＡ−Ａ線に沿う断面図であり、図２は、図１に示す状態から容器本体の軸線を中心に９０度回転させて示した図であって、（ａ）は容器本体の軸線を境に半分を断面で示した部分側面図であり、（ｂ）はＢ−Ｂ線に沿う断面図であり、図３は本発明に従うキャップ付き容器の実施の形態を示す図であり、（ａ）は容器本体の軸線を境に半分を断面で示した部分側面図であり、（ｂ）はＣ−Ｃ線に沿う断面図である。なお何れの図も、容器本体にキャップのねじ込みが完了した、ねじ込み終了姿勢を示している。
【００１４】
図１（ａ）、図２（ａ）において、１は容器本体であり、２は注出栓であり、３は中間部材であり、４はキャップである。図示の例で容器本体１は、底部付きの胴部１ａに、肩部１ｂを介して円筒状の口部１ｃを連結しており、その内側を内容物が充填される充填空間Ｍとしている。容器本体１の材料は、例えば合成樹脂に限られずガラスでもよく、またその種類は、例えばシャンプー等を充填するボトルタイプの容器に限られず、ハンドクリーム等を充填するチューブタイプの容器であってもよい。
【００１５】
口部１ｃの側壁１ｃ１の外周面には、その先端部に爪部１ｃ２と、その中間部に凸部１ｃ３とが形成されている。また図１（ａ）、（ｂ）に示すように、口部１ｃの根元には、リブ１ｄが設けられていて、図示の例では、２つのリブ１ｄを互いに対向する位置に配置している。
【００１６】
注出栓２は、天面壁２ａより同心二重配置で垂下される内壁２ｂ、及び外壁２ｃを備えており、内壁２ｂ、及び外壁２ｃの相互間に形成される環状凹部に爪部１ｃ2を挿入させるとともに、外壁２ｃの先端に設けられた爪部２ｄを爪部１ｃ２に係合させて、注出栓２を口部１ｃに位置決め固定している。また、天面壁２ａの中央部には注出孔２ｅが設けられていて、充填空間Ｍに充填された内容物を外界に向けて注出させることができる。
【００１７】
中間部材３は、口部１ｃを取り囲む円筒状の基部３ａと、基部３ａの根元から容器本体１の肩部１ｂに沿って延設した段付きのフランジ３ｂとを備えている。基部３ａの内壁には、その中間部に凸部１ｃ３と嵌合する凹部３ａ１が設けられており、その下端部にリブ１ｄに嵌まり込んで回り止めとなる凹所３ａ２（図示の例では２箇所）が形成されていて、中間部材３を口部１ｃに固定保持している。また基部３ａの外壁面には、螺旋状に形成された係合部ｎが形成されている。
【００１８】
基部３ａとフランジ３ｂとの境界には、図１（ｂ）、図２（ｂ）に示すように、その一端を基部３ａに連結し他端を自由端３ｃ１とする片持ち支持タイプの弾性舌片３ｃと、該弾性舌片３ｃの自由端３ｃ１から周方向に間隔をおいて配設されるとともに基部３ａの径方向外側に突出するストッパー３ｄとが形成されている。弾性舌片３ｃは、基部３ａに連結する連結部(固定端)から自由端３ｃ１に向けて径方向外側に突出する円弧状の輪郭面を有しているが、その突出量はストッパー３ｄより小さくなっている。また、ストッパー３ｄは、弾性舌片３ｃと対向する側が基部３ａの径方外側に向かうストレート面であり、このストレート面の端縁から弾性舌片３ｃと反対方向に向かう側の面が略円弧状の曲面となる輪郭面を形成している。ここで図示の例では、一対の弾性舌片３ｃとストッパー３ｄとを、容器本体１の軸線を中心として１８０度ずらして二対配置したものであるが、少なくとも一対設けられていればよい。
【００１９】
キャップ４は、該キャップ４の天面壁より垂下され、その内壁面にねじ係合部を備える環状周壁を有している。ここで、図１（ａ）、図２（ａ）に示す例では、天面壁４ａの内面から中間部材３の段付きのフランジ３ｂの手前まで垂下される内筒４ｂを環状周壁とするものであり、さらに、天面壁４ａの縁部から垂下され内筒４ｂを取り囲んで同心二重配置になる外筒４ｃとを備える場合を示しているが、内筒４ｂを設けずに、外筒４ｃを環状周壁とすることもできる。内筒４ｂの内壁面には、中間部材３に設けた係合部ｎに適合するねじ係合部ｎ´が形成されていて、中間部材３を介して容器本体１にキャップ４を着脱自在にねじ止め保持することができる。また内筒４ｂの先端部には、図２（ａ）、図２（ｂ）に示すように、その先端部を部分的に延設させるとともに、キャップ４のねじ込み終了時に一対の弾性舌片３ｃとストッパー３ｄとの相互間に嵌まり込む凸部４ｂ１が形成されている。図示の例では、２つの凸部４ｂ１を設けた場合を示しているが、弾性舌片３ｃとストッパー３ｄに対応させて少なくとも１つ設けられていればよい。また、天面壁４ａの中央部には、注出孔２ｅと適合する環状リブ４ｄが設けられており、キャップ４のねじ込み終了時には注出孔２ｅに入り込んで、充填空間Ｍを確実に密閉することができる。
【００２０】
そして図示の例では、凸部４ｂ１の背面部にて、内筒４ｂと外筒４ｃとを相互につなぐ補強リブ４ｅを備えており、凸部４ｂ１を強固に保持している。
【００２１】
上記のような構成となるキャップ付き容器において、キャップ４を中間部材３を介して容器本体１にねじ止め固定するに当たっては、キャップ４を図１（ｂ）、図２（ｂ）に示すように矢印の向きに回転させる。キャップ４の回転が進むと、図示するように中間部材３に設けたストッパー３ｄのストレート面にキャップ４の凸部４ｂ１が突き当り、キャップ４のねじ込みが終了する。ここでねじ込みの終了直前においては、凸部４ｂ１が弾性舌片３ｃを撓み変形させながら乗り越えるので、弾性舌片３ｃと凸部４ｂ１との削れを有効に抑制することができる。また、ねじ込み終了時においては、凸部４ｂ１が弾性舌片３ｃとストッパー３ｄとの相互間に嵌まり込んで双方と接触していて、自由端３ｃ１と凸部４ｂ１との間には接触圧が残った状態となっているので、キャップ４の弛みをより効果的に抑制してねじ込み終了姿勢を維持することができる。なお、キャップ４を開栓する際に、凸部４ｂ１がストッパー３ｄに接触しても、凸部４ｂ１はストッパー３ｄの円弧状の曲面に沿って移動することになるので、開栓の妨げになくことがなく、キャップ４をスムーズに回転させることができる。
【００２２】
また、注出栓２を中間部材３とは別に構成した分割型の中間部材３に代えて、図３（ａ）、（ｂ）に示すように、注出栓２を一体形成した一体型の中間部材３０とする場合には、中間部材３に注出栓２としての機能を持たせることができるので、部品点数の削減により構造の簡素化が可能となる。
【００２３】
そして口部１ｃの根元に形成されるリブ１ｄに代えて、図３（ａ）、（ｂ）に示すように幅広の段部１ｅを設け、この段部１ｅを、中間部材３の弾性舌片３ｃ及びストッパー３ｄの下側に形成される下向き開口の空間３ｅに嵌め込んで、中間部材３の回り止めにすることもできる。この場合、中間部材３の凹所３ａ２が不要となるので、中間部材３の強度の向上が図れるとともに、中間部材３にキャップ４からより強い回転力が加わっても、段部１ｅで強固に回り止め保持することができる。
【００２４】
加えて、中間部材３に、キャップ４の樹脂材料（例えばＰＰ）よりも硬度の高い樹脂材料（例えばＰＯＭ、ＰＢＴ、Ｎｙ）を用いる場合は、弾性舌片３ｃと凸部４ｂ１との削れをより有効に抑制して耐久性を向上させることができる。
【産業上の利用可能性】
【００２５】
本発明によれば、内容物を充填した容器本体にキャップをねじ込み装着するキャップ付き容器に関し、キャップのねじ込み終了姿勢を維持する弛み止め機能を、キャップの着脱を繰り返し行っても、十分に保つことができる。
【符号の説明】
【００２６】
１    容器本体
１ａ  胴部
１ｂ  肩部
１ｃ  口部
１ｄ  リブ
１ｅ  段部
２    注出栓
２ａ  天面壁
２ｂ  内壁
２ｃ  外壁
２ｄ  爪部
２ｅ  注出孔
３    中間部材
３ａ  基部
３ｂ  フランジ
３ｃ１  自由端
３ｃ  弾性舌片
３ｄ  ストッパー
３ｅ  空間
４  キャップ
４ａ  天面壁
４ｂ  内筒(環状周壁)
４ｂ１  凸部
４ｃ  外筒
４ｄ  環状リブ
４ｅ  補強リブ
３０  中間部材
【図１】
0005758118.tif 000002
【図２】
0005758118.tif 000003
【図３】
0005758118.tif 000004